(57)【要約】【課題】、収納位置にあるときには良好な収納性を確保でき、使用位置にあるときには良好な使用性を確保できる、車両用テーブル装置の提供。【解決手段】ベース２０に上下方向に可動に支持される駆動部材３０が設けられており、テーブル４０が駆動部材３０に回動可能に連結されている。また、上下動機構５０が設けられており、テーブル４０を駆動部材３０に対して収納位置４０ａから使用位置４０ｂに回動させるときに、駆動部材３０をベース２０に対して上方に移動させ、テーブル４０を駆動部材３０に対して使用位置４０ｂから収納位置４０ａに回動させるときに、駆動部材３０をベース２０に対して下方に移動させている。よって、駆動部材３０と上下動機構５０が設けられておらずテーブル４０がベース２０に直接回動可能に連結される場合と異なり、テーブル４０をベース２０に対して回動させるだけでなく上下動させることができる。【選択図】        図５
2020192909.tif 000002
【特許請求の範囲】
【請求項１】
ベースと、
前記ベースに上下方向に可動に支持される駆動部材と、
前記駆動部材に回動軸まわりに回動可能に連結されるテーブルと、
前記ベースに設けられるベース溝と前記テーブルに設けられており前記ベース溝内を移動する摺動ピンとを備え、前記テーブルを前記駆動部材に対して回動させるときに前記駆動部材を前記ベースに対して上下動させる上下動機構と、
を有し、
前記テーブルは、前記駆動部材に対して、水平方向に延びる使用位置と、該使用位置から下方に回動した収納位置とに、回動可能とされており、
前記上下動機構は、前記テーブルを前記駆動部材に対して前記収納位置から前記使用位置に回動させるときに、前記駆動部材を前記ベースに対して上方に移動させ、前記テーブルを前記駆動部材に対して前記使用位置から前記収納位置に回動させるときに、前記駆動部材を前記ベースに対して下方に移動させる、車両用テーブル装置。
【請求項２】
前記ベースには上下方向に延びるガイド溝が設けられており、前記駆動部材には前記ガイド溝内を移動する複数のガイドピンが設けられている、請求項１記載の車両用テーブル装置。
【請求項３】
前記テーブルが前記使用位置にあるときに該テーブルの前記駆動部材に対する回動を規制するロック装置を有しており、
前記ロック装置は、前記テーブルに設けられるアーム用溝と、該アーム用溝内を移動するアーム部を有し前記ベースに回動可能に連結されるロックリンクと、を有しており、
前記アーム用溝は、前記テーブルが前記使用位置以外の位置にあるときに前記ロックリンクのアーム部が位置する溝一般部と、前記テーブルが前記使用位置にあるときに前記ロックリンクのアーム部が進入可能な溝凹部と、を有しており、
前記ロックリンクのアーム部が前記溝凹部に進入することで、前記テーブルの前記駆動部材に対する回動が規制されるようになっている、請求項１または請求項２記載の車両用テーブル装置。
【請求項４】
前記上下動機構のベース溝は、前記テーブルが前記使用位置にあるときにおける前記テーブルの回動軸を中心とする円弧状に延びる円弧状部と、該円弧状部に連なり該円弧状部とは異なる方向に延びる異方向延び部と、を有しており、
前記上下動機構の摺動ピンは、前記テーブルが前記使用位置にあるとき、前記円弧状部にあり、前記テーブルの回動軸の真下にある、請求項１〜請求項３のいずれか１項に記載の車両用テーブル装置。
【発明の詳細な説明】
【技術分野】
【０００１】
本発明は、車両用リアシートの側面等に配設される車両用テーブル装置に関する。
【背景技術】
【０００２】
特開２００９−２１４７９８号公報は、車両用リアシートの側面に配設される車両用テーブル装置を開示している。該公報において、テーブルは、天板が水平に保持される使用位置と、該使用位置から下方に回動した直立状態の収納位置とに、リアシートに固定されるベース（支柱）に回動可能に連結されている。
【０００３】
しかし、テーブルがリアシートに固定されるベースに回動可能に連結されているため、つぎの問題点がある。
収納位置にあるときに邪魔にならないように収納位置にあるテーブルをリアシートのアームレストに対して低い位置に設定すると、テーブルを収納位置から上方に回転させて使用位置にしたときにも、テーブルの位置がアームレストに対して低い位置のままであり、使用性が悪くなるおそれがある。逆に、使用性を高めるために使用位置にあるテーブルをリアシートのアームレストに対して高いて位置に設定すると、テーブルを使用位置から下方に回動させて収納位置にしたときにも、テーブルの位置がアームレストに対して高い位置のままであり、収納性が悪くなるおそれがある。
【先行技術文献】
【特許文献】
【０００４】
【特許文献１】特開２００９−２１４７９８号公報
【発明の概要】
【発明が解決しようとする課題】
【０００５】
本発明の目的は、収納位置にあるときには良好な収納性を確保でき、使用位置にあるときには良好な使用性を確保できる、車両用テーブル装置を提供することにある。
【課題を解決するための手段】
【０００６】
上記目的を達成する本発明はつぎの通りである。
（１）  ベースと、
前記ベースに上下方向に可動に支持される駆動部材と、
前記駆動部材に回動軸まわりに回動可能に連結されるテーブルと、
前記ベースに設けられるベース溝と前記テーブルに設けられており前記ベース溝内を移動する摺動ピンとを備え、前記テーブルを前記駆動部材に対して回動させるときに前記駆動部材を前記ベースに対して上下動させる上下動機構と、
を有し、
前記テーブルは、前記駆動部材に対して、水平方向に延びる使用位置と、該使用位置から下方に回動した収納位置とに、回動可能とされており、
前記上下動機構は、前記テーブルを前記駆動部材に対して前記収納位置から前記使用位置に回動させるときに、前記駆動部材を前記ベースに対して上方に移動させ、前記テーブルを前記駆動部材に対して前記使用位置から前記収納位置に回動させるときに、前記駆動部材を前記ベースに対して下方に移動させる、車両用テーブル装置。
（２）  前記ベースには上下方向に延びるガイド溝が設けられており、前記駆動部材には前記ガイド溝内を移動する複数のガイドピンが設けられている、（１）記載の車両用テーブル装置。
（３）  前記テーブルが前記使用位置にあるときに該テーブルの前記駆動部材に対する回動を規制するロック装置を有しており、
前記ロック装置は、前記テーブルに設けられるアーム用溝と、該アーム用溝内を移動するアーム部を有し前記ベースに回動可能に連結されるロックリンクと、を有しており、
前記アーム用溝は、前記テーブルが前記使用位置以外の位置にあるときに前記ロックリンクのアーム部が位置する溝一般部と、前記テーブルが前記使用位置にあるときに前記ロックリンクのアーム部が進入可能な溝凹部と、を有しており、
前記ロックリンクのアーム部が前記溝凹部に進入することで、前記テーブルの前記駆動部材に対する回動が規制されるようになっている、（１）または（２）記載の車両用テーブル装置。
（４）  前記上下動機構のベース溝は、前記テーブルが前記使用位置にあるときにおける前記テーブルの回動軸を中心とする円弧状に延びる円弧状部と、該円弧状部に連なり該円弧状部とは異なる方向に延びる異方向延び部と、を有しており、
前記上下動機構の摺動ピンは、前記テーブルが前記使用位置にあるとき、前記円弧状部にあり、前記テーブルの回動軸の真下にある、（１）〜（３）のいずれか１つに記載の車両用テーブル装置。
【発明の効果】
【０００７】
上記（１）の車両用テーブル装置では、つぎの効果を得ることができる。
ベースに上下方向に可動に支持される駆動部材が設けられており、テーブルが駆動部材に回動可能に連結されている。また、上下動機構が設けられており、上下動機構が、テーブルを駆動部材に対して収納位置から使用位置に回動させるときに、駆動部材をベースに対して上方に移動させ、テーブルを駆動部材に対して使用位置から収納位置に回動させるときに、駆動部材をベースに対して下方に移動させている。よって、駆動部材と上下動機構が設けられておらずテーブルがベースに直接回動可能に連結される場合と異なり、テーブルをベースに対して回動させるだけでなく上下動させることができる。よって、収納位置にあるときにはテーブルの高さ位置を比較的低くして不使用時のテーブルが邪魔になることを抑制して良好な収納性を確保しつつ、使用位置にあるときにはテーブルの高さ位置を比較的高くして装置の使用性を高めることができる。
【０００８】
上記（２）の車両用テーブル装置では、ベースに上下方向に延びるガイド溝が設けられており、駆動部材にガイド溝内を移動するガイドピンが設けられているため、ガイド溝とガイドピンとでベースに対する駆動部材の移動をガイド溝の延び方向である上下方向に規制することができる。また、ガイドピンが複数設けられているため、ガイドピンが１個のみ設けられる場合と異なり、駆動部材がベースに対して回動してしまうことを抑制できる。
【０００９】
上記（３）の車両用テーブル装置では、ロック装置を有するため、使用位置にあるテーブルに物を置くなどして下方への力がかかったときに、テーブルが駆動部材に対して収納位置側に回動してしまうことを抑制できる。よって、良好なテーブルの使用性を確保できる。
【００１０】
また、ロック装置のロックリンクが、駆動部材ではなくベースに連結されているため、ベースに対するテーブルの動きを規制することができる。ここで、駆動部材がベースに上下方向に可動に支持されており、テーブルが駆動部材に回動可能に連結されており、テーブルを駆動部材に対して回動させるときに駆動部材をベースに対して上下動させる上下動機構が設けられているため、ベースに対するテーブルの動きをロック装置で規制することで、ベースに対する駆動部材の動きも規制できる。よって、駆動部材に対するテーブルの動きを規制するロック装置と、ベースに対する駆動部材の動きを規制するロック装置を、それぞれ別々に設ける場合に比べて、部品点数を削減できコスト上有利である。
【００１１】
また、ベースに回動可能に連結されるロックリンクのアーム部を、テーブルに設けられるアーム用溝の溝凹部に進入させることで、テーブルの駆動部材に対する回動を規制するため、比較的簡素な構成でロックを掛けることができ、コスト上有利である。
【００１２】
上記（４）の車両用テーブル装置では、上下動機構の摺動ピンが、テーブルが使用位置にあるとき、円弧状部にあり、テーブルの回動軸の真下にあるため、使用位置にあるテーブルに物を置くなどして下方への力がかかったときに、摺動ピンが円弧状部内を移動してしまうことを抑制できる。
【図面の簡単な説明】
【００１３】
【図１】本発明実施例の車両用テーブル装置の分解斜視図である。
【図２】本発明実施例の車両用テーブル装置の、テーブルが収納位置にあるときにおける斜視図である。
【図３】本発明実施例の車両用テーブル装置の、テーブルが使用位置にあるときにおける斜視図である。
【図４】本発明実施例の車両用テーブル装置の、テーブルが収納位置にあるときにおける、テーブルの回動軸と上下動機構との位置関係を示す断面図である。
【図５】図４の状態から、テーブルを収納位置から使用位置側に移動させてテーブルが収納位置と使用位置との間の中間位置にあるときにおける、テーブルの回動軸と上下方向機構との位置関係を示す断面図である。
【図６】図５の状態から、さらにテーブルを移動させてテーブルが使用位置に達したときにおける、テーブルの回動軸と上下動機構との位置関係を示す断面図である。
【図７】本発明実施例の車両用テーブル装置の、テーブルが収納位置にあるときにおける断面図である。（ａ）は、ロック装置部位での断面図である。（ｂ）は、ロック解除装置部位での断面図である。
【図８】図７の状態から、テーブルを使用位置から収納位置側に移動させてテーブルが収納位置と使用位置の間の中間位置にあるときにおける断面図である。（ａ）は、ロック装置部位での断面図である。（ｂ）は、ロック解除装置部位での断面図である。
【図９】図８の状態から、さらにテーブルを移動させてテーブルが使用位置に達したときにおける断面図である。（ａ）は、ロック装置部位での断面図である。（ｂ）は、ロック解除装置部位での断面図である。
【図１０】図９の状態からロック解除装置によりロックが解除された状態の断面図である。（ａ）は、ロック装置部位での断面図である。（ｂ）は、ロック解除装置部位での断面図である。
【発明を実施するための形態】
【００１４】
以下に、図面を参照して、本発明実施例の車両用テーブル装置１０を説明する。なお、図中、ＵＰは上方を示す。
【００１５】
本発明実施例の車両用テーブル装置（以下、単にテーブル装置または装置ともいう）１０は、特に限定されるものではないが、たとえば、車両の図示略のリアシートの側面等に配設される。ただし、テーブル装置１０は、車両の内装部材を構成するドアトリム、インストルメントパネル等に配設されていてもよい。
【００１６】
テーブル装置１０は、図１に示すように、ベース２０と、ベース２０に上下方向に可動に支持される駆動部材３０と、駆動部材３０に回動可能に連結されるテーブル４０と、テーブル４０を駆動部材３０に対して回動させるときに駆動部材３０をベース２０に対して上下動させる上下動機構５０と、ロック装置６０と、ロック解除装置７０と、を有する。
【００１７】
ベース２０は、テーブル装置１０が配設される部材（リアシート、ドアトリム、インストルメントパネル等）に固定して取付けられている。ベース２０は、一部品構成であってもよく複数部品構成であってもよい。図示例では、ベース２０が、ベース本体２１と、ベース本体２１に固定して取付けられるリンク軸受部２２と、を有する場合を示している。
【００１８】
ベース本体２１には、上下方向に延びるガイド溝２３が一対設けられている。一対のガイド溝２３は、それぞれ、一本のみ設けられていてもよく、図示例のように複数本（２本）設けられていてもよい。ガイド溝２３は、直線状に延びていてもよく少なくとも一か所湾曲部を有して延びていてもよい。ガイド溝２３が直線状に延びている場合、ガイド溝は、鉛直方向に延びていてもよく、鉛直方向から傾いた斜め方向に延びていてもよい。なお、図示例では、ガイド溝２３が鉛直方向から傾いた斜め方向に直線状に延びている場合を示している。
【００１９】
駆動部材３０は、ベース２０に上下方向に可動に支持されている。駆動部材３０は、一部品構成であってもよく複数部品構成であってもよい。図示例では、駆動部材３０が、駆動部材本体３１と、駆動部材本体３１に固定して取付けられるカバー３２と、を有する場合を示している。カバー３２は、駆動部材本体３１の上端部に取付けられており、図２、図３に示すように、駆動部材本体３１とともに上方に開放する小物入れ用凹部３４を形成している。小物入れ用凹部３４には、図示略の小物類を収容可能である。
【００２０】
図１に示すように、駆動部材３０には、複数のガイドピン３３が設けられている。ガイドピン３３は、駆動部材本体３１に形成されるガイドピン取付け部３１ａに固定して取付けられている。なお、ガイドピン３３は、駆動部材本体３１と別体に形成されるピンでなくてもよく、ガイドピン取付け部３１ａに一体に形成される凸部からなっていてもよい。
【００２１】
ガイドピン３３は、ベース２０のガイド溝２３に挿入されている。ガイドピン３３がガイド溝２３に挿入されることで、駆動部材３０は、ベース２０に可動ではあるが脱落することなく支持されるとともに、ベース２０に対する移動方向が規制されている。ガイドピン３３は、１本のガイド溝２３に対して複数設けられている。図示例では、ガイドピン３３が、一本のガイド溝２３に対して２本設けられている場合を示している。
【００２２】
テーブル４０は、図４に示すように、駆動部材３０に回動軸４１まわりに回動可能に連結されている。回動軸４１は、駆動部材３０の上端部またはその近傍にある。テーブル４０が駆動部材３０に回動可能に連結されており、駆動部材３０がベース２０に上下方向に可動に支持されているため、テーブル４０は、ベース２０に対して回動するだけでなく上下動もする。
【００２３】
テーブル４０は、図４〜図６に示すように、駆動部材３０に対して、小物類を載置可能な天面４２が水平方向（ほぼ水平方向を含む）に延びる使用位置４０ｂ（図６参照）と、使用位置４０ｂから下方に回動して天面４２が鉛直方向（略鉛直方向を含む）に延びる収納位置４０ａ（図４参照）とに、回動可能とされている。テーブル４０は、使用位置４０ｂにあるとき使用可能であり、収納位置４０ａにあるとき使用不能または使用困難である。
【００２４】
テーブル４０は、スマートフォンなどを載置可能なテーブルとして使用可能である。ただし、テーブル４０は、図示略のスイッチ類が配されることでスイッチパネルとしても使用可能であり、充電器等が配されることで充電装置としても使用可能であり、カップ類を保持可能なホルダが配されることでカップホルダとしても使用可能であり、タッチパネルが配されていてもよい。なお、図１〜図３では、一部にカップ類を保持可能なホルダ４６が２個配されるとともに、残部がテーブルとして使用可能とされている場合を示している。
【００２５】
テーブル４０は、一部品構成であってもよく複数部品構成であってもよい。図１では、テーブル４０が、テーブル本体４３と、テーブル本体４３に固定して取付けられるブッシュ４４と、テーブル本体４３に固定して取付けられるリンクプレート４５と、を有する場合を示している。
【００２６】
テーブル本体４３に天面４２が存在している。ブッシュ４４は、駆動部材本体３１に回動可能に連結されており、これにより、テーブル４０が駆動部材３０に回動可能に連結されている。リンクプレート４５は、テーブル本体４３に天面４２の裏面側から固定して取付けられている。
【００２７】
上下動機構５０は、図４〜図６に示すように、テーブル４０を駆動部材３０に対して回動軸４１まわりに回動させるときに駆動部材３０をベース２０に対して上下動させる機構である。上下動機構５０は、テーブル４０を駆動部材３０に対して収納位置４０ａから使用位置４０ｂに上方に回動させるときに、駆動部材３０をベース２０に対して上方に移動させ、テーブル４０を駆動部材３０に対して使用位置４０ｂから収納位置４０ａに下方に回動させるときに、駆動部材３０をベース２０に対して下方に移動させる。上下動機構５０は、ベース２０に設けられるベース溝５１と、テーブル４０に設けられておりベース溝５１内を移動する摺動ピン５２と、を有する。
【００２８】
ベース溝５１は、テーブル４０が使用位置４０ｂにあるときにおけるテーブル４０の回動軸４１を中心とする円弧状に延びる円弧状部５１ａと、円弧状部５１ａに連なり円弧状部５１ａとは異なる方向に延びる異方向延び部５１ｂと、を有する。
【００２９】
円弧状部５１ａは、図６に示すように、テーブル４０が使用位置４０ｂにあるときにおけるテーブル４０の回動軸４１の真下（鉛直下方）を含む位置に設けられている。円弧状部５１ａには、テーブル４０が使用位置４０ｂ（およびその近傍を含む）にあるときのみ、摺動ピン５２が位置している（入り込んでいる）。異方向延び部５１ｂには、円弧状部５１ａから抜けている摺動ピン５２が位置している（入り込んでいる）。
【００３０】
摺動ピン５２は、テーブル４０に固定して設けられている。ただし、摺動ピン５２は、テーブル４０に一体に設けられる凸部からなっていてもよい。摺動ピン５２は、図４に示すように、テーブル４１が収納位置４０ａにあるとき、異方向延び部５１ｂにあり、テーブル４０の回動軸４１と同じ高さ（略同じ高さを含む）位置ある。テーブル４０を駆動部材３０に対して収納位置４０ａから使用位置４０ｂ側に回動させると、摺動ピン５２は、図５、図６に示すように異方向延び部５１ｂを円弧状部５１ａに近づく方向に移動し、テーブル４０が使用位置４０ｂまたはその近傍に達したときに異方向延び部５１ｂから円弧状部５１ａに移る。摺動ピン５２は、テーブル４０が使用位置４０ｂにあるとき、円弧状部５１にあり、テーブル４０の回動軸４１の真下（鉛直下方）にある。
【００３１】
なお、テーブル４０が収納位置４０ａにあるときに摺動ピン５２が回動軸４１と同じ高さ位置にあるため、テーブル４０を収納位置４０ａから使用位置４０ｂに回動させ始めるとき、摺動ピン５２は鉛直下方のみに動き始める。そのため、摺動ピン５２が異方向延び部５１ｂ（ベース溝５１）内をベース溝５１の延び方向に移動し難くなるおそれがある。そこで、摺動ピン５２が鉛直下方のみに動き始めても摺動ピン５２がベース溝５１内を容易に移動できるように、テーブル４０が収納位置４０ａにあるときに摺動ピン５２が位置する異方向延び部部分５１ｂ１は、水平方向ではなく斜め下方に傾斜していることが望ましい。また、異方向延び部５１ｂが全体にわたって斜め下方に傾斜していると、テーブル４０を収納位置４０ａから使用位置４０ｂまで駆動部材３０に対して回動させたときの、テーブル４０および駆動部材３０のベース２０に対する上下方向移動量が小さくなってしまう。そこで、テーブル４０および駆動部材３０のベース２０に対する上下方向移動量を大にするために、少なくとも円弧状部５１ａ側の端部にある異方向延び部部分５１ｂ２は、斜め上方に傾斜していることが望ましい。
【００３２】
ロック装置６０は、テーブル４０が使用位置４０ｂにあるときにテーブル４０の駆動部材３０に対する回動を規制するために設けられる。ロック装置６０は、図７（ａ）、図８（ａ）、図９（ａ）および図１０（ａ）に示すように、テーブル４０に設けられるアーム用溝６１と、アーム用溝６１内を移動するアーム部６２ａを有しベース２０に回動可能に連結されるロックリンク６２と、を有する。
【００３３】
アーム用溝６１は、テーブル４０のリンクプレート４５に形成されている。アーム用溝６１は、テーブル４０が使用位置４０ｂ以外の位置にあるときにロックリンク６２のアーム部６２ａが位置する溝一般部６１ａと、テーブル４０が使用位置４０ｂにあるときにロックリンク６２のアーム部６２ａが進入離脱可能な溝凹部６１ｂと、を有する。
【００３４】
溝凹部６１ｂにロックリンク６２のアーム部６２ａが進入することで、テーブル４０の駆動部材３０に対する回動が規制されるようになっている。図９（ａ）に示すように、溝凹部６１ｂは、使用位置４０ｂにあるテーブル４０に物を置くなどして下方への力がかかったときにロックリンク６２のアーム部６２ａが溝凹部６１ｂから使用者の意思に反して抜けてしまうことを抑制するために、テーブル４０が使用位置４０ｂにあるときに上方に凹となるようにして形成されている。
【００３５】
ロックリンク６２は、図１に示すように、一本の金属製の剛体棒を曲げ加工することで作製されている。ロックリンク６２は、アーム部６２ａと、アーム部６２ａの端部から折れ曲がってベース２０側に延びる一対の脚部６２ｂと、一対の脚部６２ｂの延び方向先端部から折れ曲がって延びる支軸部６２ｃと、を有する。アーム部６２ａはアーム用溝６１をアーム用溝６１の長手方向に移動可能である。支軸部６２ｃは、ベース２０のリンク軸受部２２に回動可能に連結されている。したがって、テーブル４０を収納位置４０ａから使用位置４０ｂに駆動部材３０に対して回動させるとき、ロックリンク６２は、アーム部６２ａがアーム用溝６１内を溝凹部６１ｂ側に移動しながらテーブル４０に連れ立って支軸部６２ｃまわりにベース２０に対して上方に回動する。また、テーブル４０を使用位置４０から収納位置４０ａに駆動部材３０に対して回動させるとき、ロックリンク６２は、アーム部６２ａがアーム用溝６１内を溝凹部６１ｂから離れる方向に移動しながらテーブル４０に連れ立って支軸部６２ｃまわりにベース２０に対して下方に回動する。
【００３６】
ロック解除装置７０は、ロック装置６０のロックを解除するために設けられる。ロック解除装置７０は、テーブル４０に可動に支持される操作ノブ７１を有する。
【００３７】
操作ノブ７１は、テーブル４０のテーブル本体４３に可動に支持されている。操作ノブ７１は、特に限定されるものではないが、たとえばプッシュタイプのノブである。操作ノブ７１は、一部品構成であってもよく複数部品構成であってもよい。図示例では、操作ノブ７１が、操作部７２と、操作部７２を操作したときに操作部７２と連動する連動部７３と、を有し、操作部７２と連動部７３がそれぞれバネ７４，７５を用いてテーブル４０に対して付勢されている場合を示している。
【００３８】
図９、図１０に示すように、連動部７３は、ロックリンク６２のアーム部６２ａが溝凹部６１ｂ内にあるときに該アーム部６２ａに摺動接触可能な傾斜面７３ａを有している。そのため、操作ノブ７１を操作したとき（操作部７２を操作して連動部７３をテーブル４０に対して移動させたとき）、傾斜面７３ａがロックリンク６２のアーム部６２ａに摺動接触し、アーム部６２ａを溝凹部６１ｂから抜ける方向に移動させて溝凹部６１ｂから抜くことができる（ロック装置６０のロックを解除できる）。
【００３９】
ここで、本発明実施例の作用を説明する。
（ｉ）テーブル４０が収納位置４０ａにあるとき
テーブル４０が収納位置４０ａにあるとき、図４に示すように、駆動部材３０はベース２０に対して上方に移動していない下側位置３０ａにある。上下動機構５０の摺動ピン５２は、異方向延び部５１ｂにある。ロック装置６０にあっては、図７の（ａ）に示すように、ロックリンク６２のアーム部６２ａはアーム用溝６１の溝一般部６１ａにある。
【００４０】
（ｉｉ）上記（ｉ）の状態から、図５に示すように、テーブル４０を手で収納位置４０ａから使用位置４０ｂ側に持ち上げると、テーブル４０は回動軸４１まわりに駆動部材３０に対して上方に回動する。このとき、上下動機構５０は、摺動ピン５２がベース溝５１の異方向延び部５１ｂを移動するとともにベース溝５１を構成する下側の壁面５１ｃから反力を受けるため、テーブル４０がベース２０に対して上方に移動しようとする。そのため、テーブル４０と連結されている駆動部材３０も、ベース２０に対して上方に移動しようとする。その結果、駆動部材３０はベース２０に対して下側位置３０ａから上方に移動し、テーブル４０（の回動軸４１）もベース２０に対して上方に移動する。また、ロック装置６０にあっては、図８（ａ）に示すように、ロックリンク６２のアーム部６２ａがアーム用溝６１の溝一般部６１ａを溝凹部６１ｂ側に移動する。
【００４１】
（ｉｉｉ）テーブル４０が使用位置４０ｂに達したとき
図６に示すように、駆動部材３０はベースに対して上方に移動した上側位置３０ｂにある。上下動機構５０の摺動ピン５２は、異方向延び部５１ｂから円弧状部５１ａに移り円弧状部５１ａにあるとともに、回動軸４１の真下にある。ロック装置６０にあっては、図９（ａ）に示すように、ロックリンク６２のアーム部６２ａはアーム用溝６１の溝一般部６１ａから溝凹部６１ｂに移り溝凹部６１ｂ内にある。なお、アーム部６２ａの溝一般部６１ａから溝凹部６１ｂへの移行を確実に行うために、アーム部６２ａを溝一般部６１ａから溝凹部６１ｂを付勢する図示略のバネが設けられていてもよい。
【００４２】
（ｉｖ）上記（ｉｉｉ）の状態から、ロック解除装置７０を作動させるために操作ノブ７１を操作すると、図１０（ｂ）に示すように、連動部７３がテーブル４０に対して移動し、連動部７３の傾斜面７３ａがロックリンク６２のアーム部６２ａに摺動接触し、図１０（ａ）に示すようにアーム部６２ａが溝凹部６１ｂから抜ける方向に移動する（ロック解除）。
【００４３】
そして、アーム部６２ａが溝凹部６１ｂから抜けた状態（ロック装置６０のロックが解除された状態）でテーブル４０を手動および／または自重で使用位置４０ｂから収納位置４０ａ側に回動させると、テーブル４０は回動軸４１まわりに駆動部材３０に対して下方に回動する。このとき、上下動機構５０は、図６、図５に示すように、摺動ピン５２がベース溝５１の円弧状部５１ａから異方向延び部５１ｂに移り異方向延び部５１ｂを移動するとともにベース溝５１を構成する上側の壁面５１ｄから反力を受けるため、テーブル４０がベース２０に対して下方に移動しようとする。そのため、テーブル４０と連結されている駆動部材３０も、ベース２０に対して下方に移動しようとする。その結果、駆動部材３０はベース２０に対して上側位置３０ｂから下方に移動し、テーブル４０（の回動軸４１）もベース２０に対して下方に移動する。また、ロック装置６０にあっては、ロックリンク６２のアーム部６２ａがアーム用溝６１の溝一般部６１ａを溝凹部６１ｂから離れる方向（図８（ａ）の反矢印方向）に移動する。そして、テーブル４０が収納位置４０ａに達したとき、上記（ｉ）の状態になる。
【００４４】
つぎに、本発明実施例の効果を説明する。
（Ａ）ベース２０に上下方向に可動に支持される駆動部材３０が設けられており、テーブル４０が駆動部材３０に回動可能に連結されている。また、上下動機構５０が設けられており、上下動機構５０が、テーブル４０を駆動部材３０に対して収納位置４０ａから使用位置４０ｂに回動させるときに、駆動部材３０をベース２０に対して上方に移動させ、テーブル４０を駆動部材３０に対して使用位置４０ｂから収納位置４０ａに回動させるときに、駆動部材３０をベース２０に対して下方に移動させている。よって、駆動部材３０と上下動機構５０が設けられておらずテーブル４０がベース２０に直接回動可能に連結される場合（従来）と異なり、テーブル４０をベース２０に対して回動させるだけでなく上下動させることができる。よって、収納位置４０ａにあるときにはテーブル４０の高さ位置を比較的低くして不使用時のテーブル４０が邪魔になることを抑制して良好な収納性を確保しつつ、使用位置４０ｂにあるときにはテーブル４０の高さ位置を比較的高くしてテーブル４０（装置１０）の使用性を高めることができる。
【００４５】
（Ｂ）ベース２０に上下方向に延びるガイド溝２３が設けられており、駆動部材３０にガイド溝２３内を移動するガイドピン３３が設けられているため、ガイド溝２３とガイドピン３３とでベース２０に対する駆動部材３０の移動をガイド溝２３の延び方向である上下方向に規制することができる。また、ガイドピン３３が複数設けられているため、ガイドピン３３が１個のみ設けられる場合と異なり、駆動部材３０がベース２０に対して回動してしまうことを抑制できる。
【００４６】
（Ｃ）ロック装置６０を有するため、使用位置４０ｂにあるテーブル４０に物を置くなどして下方への力がかかったときに、テーブル４０が駆動部材３０に対して収納位置４０ａ側に回動してしまうことを抑制できる。よって、良好なテーブル４０の使用性を確保できる。
【００４７】
（Ｄ）ロック装置６０のロックリンク６２が、駆動部材３０ではなくベース２０に連結されているため、ロック装置６０でベース２０に対するテーブル４０の動きを規制することができる。ここで、駆動部材３０がベース２０に上下方向に可動に支持されており、テーブル４０が駆動部材３０に回動可能に連結されており、テーブル４０を駆動部材３０に対して回動させるときに駆動部材３０をベース２０に対して上下動させる上下動機構５０が設けられているため、ベース２０に対するテーブル４０の動きをロック装置６０で規制することで、ベース２０に対する駆動部材３０の動きも規制できる。よって、駆動部材３０に対するテーブル４０の動きを規制するロック装置と、ベース２０に対する駆動部材３０の動きを規制するロック装置を、それぞれ別々に設ける場合に比べて、部品点数を削減できコスト上有利である。
【００４８】
（Ｅ）ベース２０に回動可能に連結されるロックリンク６２のアーム部６２ａを、テーブル４０に設けられるアーム用溝６１の溝凹部６１ｂに進入させることで、テーブル４０の駆動部材３０に対する回動を規制するため、比較的簡素な構成でロックを掛けることができ、コスト上有利である。
【００４９】
（Ｆ）上下動機構５０の摺動ピン５２が、テーブル４０が使用位置４０ｂにあるとき、円弧状部５１ａにあり、テーブル４０の回動軸４１の真下にあるため、使用位置４０ｂにあるテーブル４０に物を置くなどして下方への力がかかったときに、摺動ピン５２が円弧状部５１ａ内を移動してしまうことを抑制できる。よって、上下動機構５０にてロック装置６０のロックを補助することができる。
【００５０】
（Ｇ）ロック解除装置７０が設けられており、ロック解除装置７０が、傾斜面７３ａを有する操作ノブ７１を有しているため、操作ノブ７１を操作して傾斜面７３ａをロックリンク６２のアーム部６２ａに接触させることで、アーム部６２ａを傾斜面７３ａの作用で溝凹部６１ｂから離脱させる（抜く、外す）ことができる。
【符号の説明】
【００５１】
１０  車両用テーブル装置
２０  ベース
２１  ベース本体
２２  リンク軸受部
２３  ガイド溝
３０  駆動部材
３０ａ  下側位置
３０ｂ  上側位置
３１  駆動部材本体
３２  カバー
３３  ガイドピン
３４  小物入れ用凹部
４０  テーブル
４０ａ  収納位置
４０ｂ  使用位置
４１  回動軸
４２  天面
４３  テーブル本体
４４  ブッシュ
４５  リンクプレート
５０  上下動機構
５１  ベース溝
５１ａ  円弧状部
５１ｂ  異方向延び部
５１ｃ  下側の壁面
５１ｄ  上側の壁面
５２  摺動ピン
６０  ロック装置
６１  アーム用溝
６１ａ  溝一般部
６１ｂ  溝凹部
６２  ロックリンク
６２ａ  アーム部
６２ｂ  脚部
６２ｃ  支軸部
７０  ロック解除装置
７１  操作ノブ
７２  操作部
７３  連動部
７３ａ  傾斜面
【図１】
2020192909.tif 000003
【図２】
2020192909.tif 000004
【図３】
2020192909.tif 000005
【図４】
2020192909.tif 000006
【図５】
2020192909.tif 000007
【図６】
2020192909.tif 000008
【図７】
2020192909.tif 000009
【図８】
2020192909.tif 000010
【図９】
2020192909.tif 000011
【図１０】
2020192909.tif 000012